(57)【特許請求の範囲】
【請求項１】
板部材１に開設する装着孔５に挿入する拡張係止片１２を鍔１１の後面から延設し、その内部に中空嵌入部１５を有する係止体６ａと、前記係止体６ａの中空嵌入部１５に前記鍔１１に開設する孔１４を通して挿入する拡張体６ｂとを有してなる取付装置であって、前記係止体６ａは前記拡張係止片１２の自由端部内面に係合隆起部１６を備え、他方前記拡張体６ｂは間隔を置いて並行する一対の係止片２３，２３を備えてその先端部外壁面に拡張膨出部１７を隆設すると共に前記係止片２３，２３間に検出スイッチ９を嵌合保持せしめ、前記拡張体６ｂを前記係止体６ａの孔１４を通して中空嵌入部１５に差し入れることによって両体６ａ，６ｂを仮止め状態に結合可能とし、また前記係止体６ａを前記板部材の装着孔５に挿入したのち前記拡張体６ｂを更に押圧入することにより前記拡張膨出部１７を前記拡張係止片１２の係合隆起部１６に係合させ、前記係止体６ａを強制拡張して前記装着孔５に圧接係合させることを特徴としたパチンコ機における部品類の取付装置。
【請求項２】
請求項１の記載において、拡張体６ｂには拡張膨出部１７を避けた外壁面に小突起１８を突設し、係止体６ａの中空嵌入部１５に挿入して仮止め状態としたとき前記小突起１８を係止体６ａの鍔１１に開設する孔１４の縁に係合させ抜け出しを阻止することを特徴としたパチンコ機における部品類の取付装置。
【発明の詳細な説明】
【０００１】
【発明の属する技術分野】
本発明は、遊技板や前面枠に入賞装置や照明灯等の飾り部品類を取付ける場合に使用される主として合成樹脂を材料に成形されるパチンコ機における部品類の取付装置に関する。
【０００２】
【従来の技術】
遊技板に取付けられる入賞装置や前面枠に取付けられる飾り部品類は一般に木ねじを使って止め付けている。この木ねじによる部品類の止め付けは予め定位置に部品類を臨ませ固定した状態に保持したのち、この部品類に形成しておくねじ穴に木ねじを挿通し、ドライバーによって遊技板や前面枠を構成する木板に揉み込み固定するのが普通である。この木ねじによる止め付けは強固な固着状態が得られる反面、作業が厄介である。ことに現場において例えば遊技板に入賞装置を取付けるような場合には、この入賞装置を所定位置に保持する作業と工具によってねじ止めする作業とが同時に求められることになる。この作業手順は自動組立ラインにおいて行う場合も同じであり、特にねじの揉み込みに際しては小さなねじ穴を探る等微妙な調整を要し、組立作業の効率化を図る上でこの様なことが一つの障害となる。
【０００３】
【発明が解決しようとする課題】
本発明は上述した木ねじによる止め付けの不都合なことに鑑み、効率的に部品類を止め付けるべく発明されたもので、特に本発明は単純な操作によって止め付けを完了することができ、作業性の向上を図り、併せて自動化に向けての対応に備えられるようにすると同時に、信頼性の高い固着が得られるようにしたパチンコ機における部品類の取付装置を提供せんとするものである。
【０００４】
【課題を解決するための手段】
本発明は上述目的に基づき、従来の木ねじによる止め付けを廃して、遊技板や前面枠など板部材に対して予め開設しておく装着孔に挿入する作業を通してそこに固着する部品類を自動的に取付けられるようにした装置を提供せんとするもので、これを詳述すれば、その特徴とするところは板部材に開設する装着孔に挿入される内部に中空嵌入部を有する係止体と、該係止体の中空嵌入部に圧入される拡張体とを有し、該係止体と拡張体のいずれかに部品類を結合させ、或いは一体化してなる取付装置であって、前記係止体は挿入側に拡張係止片を備え、該係止片の自由先端部内面に係合隆起部を備える一方、前記拡張体は前記中空嵌入部に挿入可能な外形に形成すると共に先端部外壁面に拡張膨出部を隆設し、前記係止体を板部材の前記装着孔に挿入したのち後端側開口部から前記中空嵌入部内に前記拡張体を圧入し、前記拡張膨出部により前記係合隆起部を押圧して前記係止片を拡張させ前記装着孔内壁面に圧接係合させるようにしたことを特徴とするパチンコ機における部品類の取付装置を提供することにある。
【０００５】
上記本発明によれば、例えば遊技板，前面枠等に予め穿っておく装着孔に対して係止体を挿入し、次に、この係止体の中空嵌入部に拡張体を圧入すると、拡張膨出部によって拡張係止片の係合隆起部が外方に押圧され、拡張係止片が拡張して前記装着孔の内壁面に圧接されるため係止体はこの装着孔内に嵌り込んだ状態で固着され、同時に拡張体も一体となって固着されることになる。従って、上記係止体、拡張体のいずれかに組付けられ、或いは予め一体化された部品類はこの固着によって遊技板、或いは前面枠に止め付けられることになる。
次に、この発明を更に明らかにするため図示する実施例について詳述し、その他の特徴について併せて説明することにする。
【０００６】
【実施の形態】
【実施例１】
図１から図３は本発明を遊技板に取付ける入賞装置について実施した一例を示したものである。図１は取付けの途中の状態を示す一部断面とした平面図、図２は取付完了状態を示す要部の拡大横断平面図、図３は取付前における一部断面とした分解平面図である。図面の符号１は板部材たる遊技板、２は入賞装置であり、３は入賞装置２の控部分４を挿入させるため遊技板１に開設した透孔であり、５はこの透孔に隣接させて本発明取付装置６を挿入するため開設した装着孔である。
【０００７】
入賞装置は取付基板７の前面に飛入ポケット８を備え、後面にこのポケットに飛入した入賞球を遊技板１の後方に誘導する樋を形成する前記控部分４を一体に備え、更にこの控部分に後方から貫き上記樋の形成を妨げない上部に沿って検出スイッチ９を装着せしめ、その検出部９ａを前記飛入ポケット８の飛入口に臨ませてある。そして、前記取付基板７の左右両端部（図面には右端部のみを表してあり、左端部が省略してある。）には取付装置６を装着するための透孔１０が設けてある。
【０００８】
取付装置６は係止体６ａと拡張体６ｂからなり、係止体６ａは挿入深さを規制する鍔１１とこの鍔の後面から後方に向けて延設される一対の拡張係止片１２，１２を有し、他方拡張体６ｂは棒状に形成してその一端（後端）に挿入深さを規制する鍔１３を備えている。
【０００９】
係止体６ａは鍔１１に拡張体６ｂを通す孔１４を開口し、この孔１４の中心部を通って後方に向けて延びる延長線を挟むようにして前記拡張係止片１２，１２を並行に設けている。この拡張係止片１２，１２は鍔１１の後面から延出し、両者間に前記拡張体６ｂを受け入れる中空嵌入部１５を設け、更に、各自由端の内面に向かい合わせにそれぞれ係合隆起部１６，１６を設けて相互間の空間を挟めている。
【００１０】
一方、棒状をなす前記拡張体６ｂは拡張係止片１２より長く形成してあり、先端部に近い外周面に膨出部１７を設けると共に、この膨出部１７と鍔１３との間に小突起１８を設けている。
【００１１】
この実施例における入賞装置２は合成樹脂を素材に射出成形によって製造され、また取付装置６を構成する２つの部材、即ち係止体６ａと拡張体６ｂのそれぞれも所要の剛性と適度の弾性を有した合成樹脂を素材に成形される。そして入賞装置２の成形に併せて基板７に透孔１０を形成し、取付装置６の装着に備えることになる。その一方、取付装置６の係止体６ａと拡張体６ｂのそれぞれは個別に成形して次に説明する手順によって結合し、この結合を通して入賞装置を遊技板１に止め付けることになる。
【００１２】
次に、上記止め付けを作業の手順に従って説明すると、先ず取付ける入賞装置２を遊技板１の前面側から添わせ、その控部分４を透孔３に差し入れると同時に、装着孔５に臨む透孔１０を通して係止体６ａの拡張係止片１２，１２をこの装着孔５に差し入れる。
このとき係止体６ａは入賞装置２を遊技板１に添わせたのちその基板７の透孔１０に挿入してもよいが、予めこの透孔１０に拡張係止片１２，１２を差し入れ、鍔１１を透孔内に設ける拡張部１０ａに嵌め入れ一つに組付けた状態において入賞装置を前記遊技板に添わせる作業と同時に装着孔５に挿入するようにしてもよい。
【００１３】
上記係止体６ａを装着孔５に挿入したのち、拡張体６ｂを孔１４を通して両係止片１２，１２の間に割込ませ、その先端部の膨出部１７が隆起部１６，１６に衝合して抵抗を受けるまで押し入れ、その後更に押圧する。この押圧によって前記膨出部が隆起部間に侵入し装着孔５の内部で両係止片１２，１２を拡張させ、その外側面が装着孔の内壁面に圧接したところで止め付け作業が完了する。
【００１４】
ところで、上記拡張体６ｂは押込み操作の際に係止体６ａの中空嵌入部１５に挿入してもよいが、図１に示したように予めこの中空嵌入部１５に挿入しておき、組合わせた状態にして係止体６ａを前述したように取付基板７の透孔１０に挿通し、次に装着孔５に挿入するとき、同時にこの装着孔内に持ち込めるようにしてもよい。
この拡張体６ｂに対する組付けは仮の結合状態を意味するもので、係止体６ａの中空嵌入部１５に挿入された拡張体６ｂは膨出部１７を隆起部１６の間に割り込ませる直前の位置において係止片１２を原形に保つことになる。その一方、拡張体自らは小突起１８を素材の弾性を利用して孔１４に通し、その縁に掛け止めて任意脱出しないように保持して仮係止されることになる（図１参照）。
【００１５】
図２に示したように止め付け完了時には、拡張体６ｂは鍔１３を孔１４に設ける拡張部１４ａに嵌め入れ、入賞装置２の取付基板７に対して係止体６ａの鍔１１と共に面一に揃うことになり、先端部に設けた膨出部１７を隆起部１６，１６の中間に割込ませることになる。
【００１６】
尚、この実施例では取付けるべき部品、即ち入賞装置２と取付装置６とを別体としたが、入賞装置の取付基板７の透孔１０の位置に係止体６ａを一体に設けて、取付基板の背面から直接拡張係止片１２，１２が延設するようにしてもよい。つまり、入賞装置の取付基板の成形時に係止体の係止片１２を一体的に形成し、拡張体６ｂのみを別体に形成して組付けるようにしても本発明の実施は可能である。
【００１７】
【実施例２】
図４乃至図８は本発明を異なる入賞装置につき実施した他の例である。図４は遊技板に装着した使用状態の横断平面図であり、図５は同じく中央縦断側面図、図６は分解状態の一部断面とした平面図、図７は分解斜視図、図８は仮結合状態を示す横断平面図である。尚、本実施例において前記第１の実施例で説明した同一の部所については同一の符号を使用し、その説明を省略すると共に関連部所において第１の実施例の説明を更に補足しながら説明することにする。
【００１８】
当該実施例における取付装置は拡張体６ｂを入賞装置２に一体に設け、この入賞装置と別体に形成される係止体６ａとを結合させることによって遊技板１に設ける装着孔５（この実施例では入賞球の誘導樋２１を設ける控部分４を通す前記透孔４に相当する。）に止め付けるようにした例につき示しており、入賞装置２は遊技板１の前面に添わせる取付基板２２と、この前面に突き出す飛入ポケット８と、後面から後方に向けて突き出す樋形をなす控部分４とを有し、上記飛入ポケット８と控部分４の内部を貫いて誘導樋２１を設けている。
【００１９】
図中２３，２３は拡張体６ｂを構成する係入片で、この係入片は樋形をなす控部分４の左右の側壁４ａ，４ａの上縁部に沿って前記取付基板の背面から後方に向けて並行状に延設してある。
両係入片２３，２３は各自由端の外側面に膨出部１７，１７を備えると共に、この膨出部と基端部との中間に小突起１８，１８を設け、更に各自由端部の内側面に向かい合わせに爪２４，２４を設けている。
【００２０】
爪２４，２４は入賞装置２に組込む検出スイッチ９を保持するためのもので、控部分４の後方から臨ませる検出スイッチ９を両係入片２３，２３間に割込ませ、その検出部９ａが飛入ポケット８の前壁に当接したとき、この爪２４，２４を検出スイッチの後端部に掛け止めてその抜け出しを阻止することになる。
上記検出スイッチ９は装着の際、控部分４の両側壁４ａ，４ａの上縁に沿って係入片２３，２３を押し開いた状態で侵入し、飛入ポケット８の前壁に衝合したところで係入片の復元力で爪２４，２４が掛け止められることになる。そしてこの装着によって左右の係入片２３，２３は相互の空間を埋められ内方への撓み込みが阻止されて一定の幅間隔を保持することになる。つまり、ここでは係入片２３，２３間に検出スイッチ９を喰え込むことによって楔形の拡張体６ａを形成することになるのである。
【００２１】
一方、係止体６ａはここでは全体的に角筒形に形成して一端開口部１４の外周面に挿入量規制の鍔１１を設け、角筒部分２５の一部を切り離して一対の拡張係止片１２，１２を設けている。
上記角筒部分２５はその中空部を開口部１４を通して押し込まれる前記控部分４を受け入れられる嵌入部１５としており、この控部分４に設けられる前記係入片２３，２３に各対応するように拡張係止片１２，１２を設けている。
【００２２】
拡張係止片１２，１２は図示するように角筒部分２５の左右の側壁部の上部を後端部からの２条のスリット２６で切り離して形成してあり、各後端自由端部の内面に隆起部１６，１６を向かい合わせに設けてこの間の間隔を狭くしてある。
【００２３】
当該実施例に示す取付装置は入賞装置と一体となった拡張体６ｂと、角筒形に形成される係止体６ａとは共に合成樹脂を素材にして個別に成形され、使用に際して両者は結合されて遊技板の透孔５に持ち込まれる。
この両者の結合に先立ち、当該実施例では拡張体６ｂの両係入片２３，２３間に検出スイッチ９を前述した手順に従って装着し組合わせておき、次にこの拡張体の控部分４を前記係止体６ａの中空嵌入部１５に開口部１４を通して嵌め付けることにより組み付けられ、結合することになる。
【００２４】
図８は上記組合わせた状態を示したもので、拡張体６ｂの控部分４は係止体６ａの中空嵌入部１５に対して係入片２３の膨出部１７が拡張係止片１２の隆起部１６に衝合する直前まで侵入し、係入片２３に設けた小突起１８，１８が開口部１４に素材の撓み性を利用して通過し背面側の縁に係合することで抜け出しが阻止され、結合が保持される。
この両者の結合は仮止め状態の結合であって部品として１個に組合うことになる。そしてこのとき、図示するように膨出部１７は隆起部１６の手前に位置して拡張係止片１２，１２を原形に保つことになる。
【００２５】
この様にして組合った２つの部材６ａ，６ｂはそのまゝ遊技板１の透孔５に差し込み、係止体６ａの鍔１１を遊技板の前面に当接させる。次に入賞装置２の前面を押圧し、中空嵌入部１５の奥に向けて取付基板２２が上記鍔１１の前面に当接するまで控部分４を押込んでその装着作業を完了させることになる。
入賞装置の前面からの強い押込みを受けた控部分４は侵入に伴って係入片２３に設ける膨出部１７を拡張係止片１２の隆起部１６，１６間に割込ませることになり、この結果係止片１２，１２は側方に向けて拡張し、その外側面を前記透孔５の内壁面に圧接させて止め付けられることになる。尚、このとき係入片２３，２３はスイッチ９を間に介在させることで楔となり、両拡張係止片１２を拡張状態に保持することになる。
【００２６】
図９は前記角筒形の係止体６ａに設けられる拡張係止片１２の自由端部外側面に係止爪２７を設け、前記控部分４の圧入によってこの係止片１２が拡張されたとき遊技板の透孔５に対する係止力を強力にした他の実施例を示すものである。上記係止爪２７は爪形に突設してあるが、自由端部の外側面に波形に隆設しても、或いは小突起を多数個突設させても同効である。
【００２７】
本発明取付装置は上述の如く構成されるもので、使用に際しては遊技板１等に予め開設する装着孔５に拡張体６ｂを嵌合させた係止体６ａを差し入れたのち前方より拡張体を押圧することで固定すべき入賞装置等の部品類を止め付けることができることになる。勿論、この取付装置は飛入ポケットを備える入賞装置に代えて前面枠に照明灯や表示灯等の飾り部品を取付ける場合の装置としても全く同様に実施することができる。
【００２８】
【発明の効果】
以上、本発明を実施例につき説明したが、前記構成から本発明取付装置によれば、遊技板等に穿つ装着孔に対して差し入れ、次に押圧する作業によって止め付けが行えるためねじ止め等による従来方法に比較して容易に、しかも一律に確実な止め付け状態が得られるため信頼性の高い固着を提供することができる。
また、本発明は部品類の一部として部品の製造と共に成形することができることから低廉に提供できると共に、装置を構成する係止体と拡張体とを仮係止状態に結合させておくことができることから取扱い管理上有利である。
【図面の簡単な説明】
【図１】取付けの途中の状態を示す一部断面とした平面図。
【図２】取付完了状態を示す要部の拡大横断平面図。
【図３】取付前における一部断面とした分解平面図。
【図４】遊技板に装着した使用状態の横断平面図。
【図５】使用状態の中央縦断側面図。
【図６】分解状態の一部断面とした平面図。
【図７】分解斜視図。
【図８】仮結合状態の横断平面図。
【図９】他の実施例における係止体の斜視図である。
【符号の説明】
１        板部材たる遊技板
２        入賞装置
５        装着孔
６        取付装置
６ａ      係止体
６ｂ      拡張体
１１      鍔
１２      拡張係止片
１３      鍔
１４      孔
１５      中空嵌入部
１６      係合隆起部
１７      拡張膨出部
１８      小突起
２３      係入片
２４      爪
２７      係止爪
【図１】
0003634950.tif 000002
【図２】
0003634950.tif 000003
【図３】
0003634950.tif 000004
【図４】
0003634950.tif 000005
【図５】
0003634950.tif 000006
【図６】
0003634950.tif 000007
【図７】
0003634950.tif 000008
【図８】
0003634950.tif 000009
【図９】
0003634950.tif 000010